(57)【特許請求の範囲】
【請求項１】
長さ方向の中間で嵌脱自在に２分割に形成したトイレットペーパロールの巻取シャフトの一方または両方に、軸方向に貫通穴を設け、軸の半径方向には穴を設けず、２分割の巻取シャフトを左右に引抜くようしたトイレットペーパロールの巻取シャフト。
【発明の詳細な説明】
【０００１】
【発明の属する技術分野】
本発明は、トイレットペーパロール、特に芯なしトイレットペーパロールの巻取り時に使用し、巻取後にトイレットペーパロールから引き抜くトイレットペーパロールの巻取シャフトに関する。
【０００２】
【従来の技術】
従来、芯なしトイレットペーパの製造工程においては、回転する２個の巻取ロール上に、例えば、1600mm長さ、30mm径の広幅のトイレットペーパ巻取用のシャフトを載せ、このシャフトの一方よりトイレットペーパを給紙し、他方からトイレットペーパの先端をシャフト外周面に巻きつけるための吹きもどし用のエアブローを、その巻付け初期にのみ行ない、シャフト上のライダーロールで押えながら所定の径まで巻取りを行なうようになっている。
【０００３】
以上のごとく巻取シャフトに巻取られたトイレットペーパロールは、巻取り装置から取り外して巻取シャフトを引抜き、トイレットペーパロールのみを所定の幅にカッターで分断している。この時、巻取シャフトの抜取り装置では、巻取シャフトに巻かれたトイレットペーパロールをプッシャーで押すことにより巻取シャフトを抜くため、１本ものの巻取シャフトではその抜き出しストロークが長くなり、抜取りに長い時間を要すると共に、その際、プッシャーに圧縮されたペーパロールの製品に不良品を発生する不都合があり、ペーパロールの製品としての歩留りを低下するという問題があった。
【０００４】
そこで上記の問題に対処するため、トイレットペーパロールの巻取シャフトを２分割に形成し、その両端部を左右にそれぞれ引抜くことにより引抜きストロークを小さくして、引抜き時間を短縮し、しかもトイレットペーパロールの製品の品質を高め、その歩留りの向上をはかりうるトイレットペーパの巻取シャフトの抜取り装置に関する特許第２７１５００８号の発明がなされている。
【０００５】
そのトイレットペーパロールの巻取シャフトの抜取り装置は、図３に示す巻取シャフトの抜取り前の斜視図に示すごとく、長さ方向の中間で相互に嵌脱自在に２分割に形成した巻取シャフト２に巻取られたトイレットペーパロール１を水平に載置可能とし、かつトイレットペーパロール１の両端部にそれぞれ固定するストッパー４を左右に配設すると共に、その巻取シャフト２の左右各端部をそれぞれ左右に引き抜く押出しプレート６を上記左右のストッパー４の外側に設け、かつそれらの各押出しプレート６をそれぞれ矢印Ｌ及びＲ方向の左右に移動させる。
【０００６】
そのためのモータ９、チェーン１１、ホイール１０，１２，１３及びチェーン１４等からなる引抜き装置を設けることにより、２分割の巻取シャフトを左右にそれぞれ引抜くようにしており、その状態でトイレットペーパロール１はこの抜取り装置の下面に排出可能になっている。即ち、この公知の抜取り装置においては、巻取シャフト２が２分割になっているので、半分の引抜きストロークでよく、スペースをとらず、トイレットペーパロール１の製品品質が向上するなどの利点がある。
【０００７】
しかしなが、２分割の巻取シャフト２を左右両側に引き抜くことにより、トイレットペーパロール１の中空の内部が真空状態になるので、上記左右への引抜きに大きい動力を要し、そのための駆動に負担がかかるという問題があると共に、その発生した真空力により、トイレットペーパロールの内側の円形断面が変形し、商品価値を低下する欠点があった。
【０００８】
【発明が解決しようとする課題】
本発明は、２分割の巻取シャフトを採用したトイレットペーパロールの巻取シャフトの抜取り装置において、巻取シャフトを左右両側に引き抜く際に、トイレットペーパロールの内部が真空状態になることを防止でき、その結果引抜き装置の駆動に負担がかかることのないトイレットペーパロールの巻取シャフトを提供すると共に、トイレットペーパロールの内側の円形断面を維持したトイレットペーパロールを得んとするものである。
【０００９】
【課題を解決するための手段】
本発明は、長さ方向の中間で嵌脱自在に２分割に形成したトイレットペーパロールの巻取シャフトであって、その両端部をトイレットペーパロールの左右にそれぞれ引き抜くようにした巻取シャフトの一方または両方に、軸方向に貫通穴を設け、軸の半径方向には穴を設けず、２分割の巻取シャフトを左右に引抜くようにしたトイレットペーパロールの巻取シャフトからなる。
【００１０】
【発明の実施の形態】
以下図面を参照して本発明のトイレットペーパロールの巻取シャフトの実施の形態を説明するが、図１及び図２の斜視図は本発明の一実施形態における巻取シャフト２を示しており、この巻取シャフト２は、図３に示した公知のトイレットペーパロールの巻取シャフトの抜取り装置と同様な装置に適用されるものであり、図１に示す状態で巻取シャフト２上にトイレットペーパを給紙し、トイレットペーパロール１に巻き取るものであり、この図１の状態から図２に示すように、この巻取シャフト２をその長さ方向の中間で嵌脱自在に２分割に形成し、その２分割した巻取シャフト２，２の両端を、図２に示すごとく矢印ＬおよびＲで示すごとく引張り、図３の公知例で示したような抜取り装置等により巻取シャフト２，２をトイレットペーパロール１内部から引き抜くものである。
【００１１】
上記２分割の巻取シャフト２の相互に嵌脱自在になっている中間の嵌脱部には、凹状部７と凸状部８とが設けられている。
【００１２】
そこで本発明では、この巻取シャフト２の軸方向、即ち軸芯部に貫通穴３を２分割の巻取シャフト２の一方または両方に設けている。
【００１３】
このように貫通穴３を設けることにより、図２に示すように２分割に形成された巻取シャフト２，２を左右両側に引抜く際に、トイレットペーパロール１の内部空間５が真空になることを防止でき、抜取り装置による巻取シャフト２，２の引抜きには、大きな駆動力を要せずに円滑、かつ迅速に行なうことができると共に、トイレットペーパロールの内側の円形断面を維持したトイレットペーパロールが得られる。
【００１４】
【発明の効果】
以上に説明した本発明のトイレットペーパロールの巻取シャフトによれば、２分割の巻取シャフト上に、トイレットペーパロールを巻き取った後、その２分割の巻取シャフトをトイレットペーパロールの左右に引き抜く際に、トイレットペーパロールの巻取シャフトの内部に形成される真空空間に外部からの空気が巻取シャフトに設けた貫通穴を経由して流入するので、その内部空間が真空状態になることがない。
【００１５】
従って、巻取シャフトのトイレットペーパロール内からの抜取りを容易に、円滑、かつ迅速に行なうことができ、その抜取り装置に大きな駆動力を要しない。
【００１６】
しかもトイレットペーパロールの内側が真空にならないから、その真空力による中側への引張り力が作用しないので、トイレットペーパロールの内側の断面を円形に維持できるので、トイレットペーパロールの製品の品質が向上し、製品の歩留りが向上する。
【００１７】
なお、本発明の巻取シャフトは、特に芯なしトイレットペーパロールの巻取り用の巻取シャフトとして有効に適用することができる。
【図面の簡単な説明】
【図１】本発明の巻取シャフトの一実施形態におけるトイレットペーパロール巻取り時の斜視図である。
【図２】図１の巻取シャフトの左右両側への抜取り時の斜視図である。
【図３】従来の公知例のトイレットペーパの巻取シャフトの抜取り装置の斜視図である。
【符号の説明】
１    トイレットペーパロール
２    巻取シャフト
３    貫通穴
【図１】
0004433360.tif 000002
【図２】
0004433360.tif 000003
【図３】
0004433360.tif 000004